(57)【要約】【課題】環境温度の変化によっても分光測定の精度を向上できる光モジュール、及び光分析装置を提供すること。【解決手段】入射光から特定の波長の光を透過させるエタロンと、入射光の入射方向におけるエタロンの前段側に配設される光学チョッパー６と、エタロンを透過した光の光量の変化量を検出する焦電センサーとを備える。光学チョッパー６は、入射光の入射方向に対して直交する直交平面内で回転軸６１を中心に回転可能な複数の遮光板６２を等間隔に備える。そして、複数の遮光板６２は、エタロンに対向する面が直交平面に対して傾斜する傾斜部６２２１を有し、傾斜部６２２１は、遮光板６２が回転する回転方向とは反対方向に向かうにしたがって、エタロンに近づくように傾斜している。【選択図】図２
2012088098.tif 000002
【特許請求の範囲】
【請求項１】
入射光から特定の波長の光を透過させる干渉フィルターと、
前記入射光の入射方向における前記干渉フィルターの前段側に配設される光学チョッパーと、
前記干渉フィルターを透過した光の光量の変化量を検出する光検出器とを備え、
前記光学チョッパーは、前記入射光の入射方向に対して直交する直交平面内で回転軸を中心に回転可能な複数の遮光板を等間隔に備え、
前記複数の遮光板は、前記干渉フィルターに対向する面が前記直交平面に対して傾斜する傾斜部を有し、
前記傾斜部は、前記遮光板が回転する回転方向とは反対方向に向かうにしたがって、前記干渉フィルターに近づくように傾斜している
ことを特徴とする光モジュール。
【請求項２】
請求項１に記載の光モジュールにおいて、
前記光検出器は、赤外光を検出する焦電センサーである
ことを特徴する光モジュール。
【請求項３】
請求項１または請求項２に記載の光モジュールにおいて、
前記遮光板における前記入射光の入射側の面のうち、少なくとも外縁端部は、前記直交平面と平行となるように形成されている
ことを特徴とする光モジュール。
【請求項４】
請求項３に記載の光モジュールにおいて、
前記遮光板には、前記外縁端部に直交する外周面が形成されている
ことを特徴とする光モジュール。
【請求項５】
請求項１から請求項４のいずれかに記載の光モジュールにおいて、
前記干渉フィルターは、
第１基板と、
前記第１基板と対向する第２基板と、
前記第１基板の前記第２基板に対向する面に設けられた第１反射膜と、
前記第２基板の前記第１基板に対向する面に設けられ、前記第１反射膜とギャップを介して対向する第２反射膜と、
前記第１基板の前記第２基板に対向する面に設けられた第１電極と、
前記第２基板の前記第１基板に対向する面に設けられ、前記第１電極とギャップを介して対向する第２電極とを備える
ことを特徴とする光モジュール。
【請求項６】
請求項１から請求項５のいずれかに記載の光モジュールと、
前記光検出器により検出された光に基づいて、前記光の光特性を分析する分析処理部とを備える
ことを特徴とする光分析装置。
【発明の詳細な説明】
【技術分野】
【０００１】
本発明は、入射光から所望の目的波長の光を出射する干渉フィルターを備えた光モジュール、及びこの光モジュールを備えた光分析装置に関する。
【背景技術】
【０００２】
従来、ファブリペローエタロン（干渉フィルター）、及び焦電型赤外線センサーを備えたガス検出器が知られている（例えば、特許文献１参照）。
このようなガス検出器は、光源からパルス状の検出用赤外光をガス検出用セルに射出すると、ガス検出用セル内のガスが所定波長の光を吸収する。そして、ガス検出器は、ファブリペローエタロンにより予め設定された波長域の赤外光を透過させ、透過した赤外光の光量を焦電型赤外線センサーに検出させることで、ガスを検出する。
また、干渉フィルターは、一般的に、一対の基板の互いに対向する面にミラーが対向配置された構成である。そして、干渉フィルターは、ミラー間のギャップの寸法に応じて、干渉フィルターに入射した入射光のうち、特定の波長のみを透過するものである。
【先行技術文献】
【特許文献】
【０００３】
【特許文献１】特開平９−７９９８０号公報
【発明の概要】
【発明が解決しようとする課題】
【０００４】
しかしながら、特許文献１のガス検出器では、赤外光が干渉フィルターに入射するため、干渉フィルターの温度が上昇し易い。このように環境温度が変化すると、ミラーの膜応力等が変化して、ミラー間のギャップの寸法が所望のギャップ寸法に対して変動するおそれがある。このため、所望のギャップ寸法に設定した場合でも環境温度の変化により、ギャップ寸法が変動して、干渉フィルターを透過する光の波長が所望の波長とは異なるものとなる。従って、特定波長の光の光量を正確に測定できず、正確な分光特性が測定できないという問題がある。
【０００５】
本発明の目的は、環境温度の変化によっても分光測定の精度を向上できる光モジュール、及び光分析装置を提供することにある。
【課題を解決するための手段】
【０００６】
本発明の光モジュールは、入射光から特定の波長の光を透過させる干渉フィルターと、前記入射光の入射方向における前記干渉フィルターの前段側に配設される光学チョッパーと、前記干渉フィルターを透過した光の光量の変化量を検出する光検出器とを備え、前記光学チョッパーは、前記入射光の入射方向に対して直交する直交平面内で回転軸を中心に回転可能な複数の遮光板を等間隔に備え、前記複数の遮光板は、前記干渉フィルターに対向する面が前記直交平面に対して傾斜する傾斜部を有し、前記傾斜部は、前記遮光板が回転する回転方向とは反対方向に向かうにしたがって、前記干渉フィルターに近づくように傾斜していることを特徴とする。
【０００７】
本発明によれば、干渉フィルターの前段側に光学チョッパーが配設されており、この光学チョッパーに設けられた複数の遮光板の干渉フィルターに対向する面には、遮光板の回転方向とは反対方向に向かうにしたがって干渉フィルターに近づくように傾斜している傾斜部が形成されている。これによれば、遮光板が回転すると、遮光板が入射光を断続的に遮光するとともに、傾斜部により発生する風を干渉フィルターにおける光の入射側の面に対して当てることができる。
従って、遮光板の回転時に傾斜部により発生した風が干渉フィルターに当たるので、干渉フィルターの入射光による温度上昇を抑制でき、環境温度の変化により、所望のギャップ寸法に対する変化を抑制できる。以上より、特定波長の光の受光量を正確に測定でき、正確な分光特性を測定できる。
【０００８】
本発明の光モジュールでは、前記光検出器は、赤外光を検出する焦電センサーであることが好ましい。
【０００９】
本発明によれば、光検出器に焦電センサーを用いたので、光学チョッパーにより入射光を断続的に遮光すれば、光の変化量を検出できる。
ところで、焦電センサーは、赤外光を検出するため、赤外光が入射する干渉フィルターの温度上昇が大きくなり易い。そこで、前述のように、光学チョッパーの遮光板に形成された傾斜部により干渉フィルターに風を当てて温度上昇を抑制できる。
また、赤外光を検出する光検出器としては、例えば、量子型の赤外線検出素子等があるが、この量子型の赤外線検出素子を用いると、コストが高くなるが、本発明では、熱型の赤外線検出素子である焦電センサーを用いたので、光モジュール自体を低コストで実現できる。
【００１０】
本発明の光モジュールでは、前記遮光板における前記入射光の入射側の面のうち、少なくとも外縁端部は、前記直交平面と平行となるように形成されていることが好ましい。
【００１１】
ここで、遮光板の外縁端部が直交平面と平行になっていない場合には、遮光板の回転時に外縁端部で遮光した光の回折が発生してしまうため、外縁端部で光量が変化し、透過した光の光量の変化量を検出する光検出器の検出精度が低下するおそれがある。
本発明によれば、遮光板の入射側の面の外縁端部は、直交平面と平行となっているため、外縁端部での光量の変化を抑えて、光検出器での検出精度の低下を抑制できる。
【００１２】
本発明の光モジュールでは、前記遮光板には、前記外縁端部に直交する外周面が形成されていることが好ましい。
【００１３】
ここで、遮光板の外周面が直交平面に直交していない場合では、遮光板の回転時に入射光の遮光を行う際、前述のように遮光板の外周面で光量が変化し、光検出器の検出精度が低下するおそれがある。
本発明によれば、遮光板の外周面は、外縁端部に直交するように形成されているので、外周面での光量の変化を抑えて、光検出器での検出精度の低下を抑制できる。
【００１４】
本発明の光モジュールでは、前記干渉フィルターは、第１基板と、前記第１基板と対向する第２基板と、前記第１基板の前記第２基板に対向する面に設けられた第１反射膜と、前記第２基板の前記第１基板に対向する面に設けられ、前記第１反射膜とギャップを介して対向する第２反射膜と、前記第１基板の前記第２基板に対向する面に設けられた第１電極と、前記第２基板の前記第１基板に対向する面に設けられ、前記第１電極とギャップを介して対向する第２電極とを備えることが好ましい。
【００１５】
本発明によれば、干渉フィルターは、各電極に電圧を印加することで、静電引力により第１基板及び第２基板の少なくともいずれか一方を撓ませ、第１反射膜及び第２反射膜の間のギャップ寸法を変化させることができるいわゆる波長可変型の干渉フィルターある。これにより、第１電極及び第２電極に印加する電圧を制御することで、所望の波長の光を干渉フィルターで取り出すことができる。すなわち、この干渉フィルターによれば、透過させる波長を順次設定できる。従って、複数の干渉フィルターを用いる必要がなくなるため、光モジュール自体を小型化することができる。
【００１６】
本発明の光分析装置は、前述の光モジュールと、前記光検出器により検出された光に基づいて、前記光の光特性を分析する分析処理部とを備えることを特徴とする。
【００１７】
本発明によれば、光モジュールにて検出される正確な受光量に基づいて分析処理を実施することができる。したがって、干渉フィルターに入射した光の正確な分析処理を実施することができる。
【図面の簡単な説明】
【００１８】
【図１】本発明の第１実施形態に係るガス分析装置の概略構成図。
【図２】前記第１実施形態に係るエタロンの概略構成を示す断面図。
【図３】前記第１実施形態に係る光学チョッパーの平面図及び遮光板の側面図。
【図４】本発明の第２実施形態に係る遮光板の側面図
【図５】本発明の変形例に係る遮光板の側面図。
【図６】本発明の変形例に係る遮光板の側面図。
【図７】本発明の変形例に係る遮光板の平面図及び側面図。
【図８】本発明の変形例に係る遮光板の平面図及び側面図。
【図９】本発明の変形例に係る遮光板の平面図及び側面図。
【図１０】本発明の変形例に係る遮光板の平面図及び側面図。
【発明を実施するための形態】
【００１９】
［第１実施形態］
以下、本発明に係る第１実施形態を図面に基づいて説明する。
〔１．ガス分析装置の概略構成〕
図１は、第１実施形態のガス分析装置１（光分析装置）の概略構成を示す模式図である。
ガス分析装置１は、図１に示すように、光源２と、ガス封入器３と、ガスセンサー４（光モジュール）と、制御装置５とを備える。このようなガス分析装置１は、ガスの定量分析を行う装置である。具体的に、ガス分析装置１は、光源２からガス封入器３内のガスに白色光を射出すると、ガスがある特定の波長の光（特に、赤外光の波長領域内の光）のみを吸収する。そして、ガス分析装置１は、ガスを透過した検査対象光をガスセンサー４に入射させる。ガスセンサー４は、検査対象光を分光して、分光した各波長の光の光量をそれぞれ測定する。そして、制御装置５は、得られた分光特性に基づいて、ガスがどの波長領域内の光を吸収したかを分析することで、ガスの定量分析を行う。
【００２０】
〔２．光源の構成〕
光源２は、図１に示すように、ガス封入器３内のガスに対して光を射出する装置である。この光源２としては、例えば白熱電球やＬＥＤなど、測定ガスの吸収ピーク波長を含む（赤外）光を射出可能な構成であれば、いかなる装置を用いてもよく、本実施形態ではＩＲ光源を用いている。
【００２１】
〔３．ガス封入器の構成〕
ガス封入器３は、被検査対象であるガスが封入される容器であり、直方体状または円筒状に形成される。また、このガス封入器３は、光源２から入射される入射光を透過させるために、シリコン、ゲルマニウム、カルコゲナイドガラス等の材料で構成される。そして、ガス封入器３内に封入されたガスは、ガス封入器３内に入射された光の波長のうち、特定の波長を吸収する。
【００２２】
〔４．ガスセンサーの構成〕
ガスセンサー４は、図１に示すように、ガス封入器３を透過した光の入射方向（図１中の一点鎖線矢印）における前段側から順に光学チョッパー６、エタロン７（干渉フィルター）、及びエタロン７を透過した光を受光する焦電センサー８（光検出器）を配置されて構成される他、エタロン７に接続される駆動回路９を備える。そして、このガスセンサー４は、光学チョッパー６によりエタロン７に断続的に入射した検査対象光のうち、所定波長の光のみを分光し、分光した光を焦電センサー８にて受光する。
【００２３】
〔４−１．光学チョッパーの構成〕
図２は、本実施形態における光学チョッパー６の平面図及び遮光板６２の側面図である。なお、図２の光学チョッパー６の側面視において、遮光板６２の上側から下側に向けて入射光（図２中の一点鎖線矢印）が入射する。この入射光の入射方向は、以下で説明する図でも同様である。
光学チョッパー６は、図２に示すように、回転軸６１と、回転軸６１を中心として放射状に配置された扇形状の複数の遮光板６２とを備える。この光学チョッパー６は、入射光を断続的に遮断し、かつ、光学チョッパー６の後段側に配置されたエタロン７に対して風を送るものである。
【００２４】
回転軸６１は、遮光板６２を軸支して、図２において時計回りを回転方向（図２中の実線矢印）として複数の遮光板６２を回転させるように構成される。すなわち、この回転軸６１は、図示しないモーター等の駆動源と接続され、モーター等が所定回転数で駆動することで回転する。なお、以下の図においても遮光板６２の回転方向は、実線矢印で図示している。
【００２５】
遮光板６２は、本実施形態では、図２に示すように、中心角が４５度の扇形状に形成されて、回転軸６１の回転方向に沿って等間隔に４つ固定されている。そして、この遮光板６２は、入射光が入射する側の遮光面６２１と、遮光面６２１の反対側の傾斜面６２２と、遮光面６２１及び傾斜面６２２の間に形成される外周面６２３とを備える。遮光板６２は、このような構成を備えるため、厚み寸法が回転方向の反対方向（以下、逆回転方向）に向かうにしたがって大きくなっている。
【００２６】
遮光面６２１は、全面にわたって、入射光の入射方向と直交する直交平面と平行となるように形成されており、すなわち、この遮光面６２１は入射光の入射方向とどの位置においても直交する。
傾斜面６２２は、エタロン７に対向する面である。この傾斜面６２２は、前記直交平面に対して傾斜する傾斜部６２２１を備える。この傾斜部６２２１は、平坦面となるように形成され、遮光板６２の逆回転方向に向かうにしたがって光学チョッパー６の後段側に配置されるエタロン７に近づくように傾斜している。
外周面６２３は、遮光面６２１に対して直交しており、入射光の入射方向に沿って形成されている。
以上のような構成を備えることで、光学チョッパー６は、遮光板６２が回転軸６１により回転されると、入射光を断続的に遮光して、入射光を断続光にしてエタロン７に入射させる。さらに、遮光板６２の回転時に、傾斜部６２２１によって生じた風がエタロン７に送風される。
【００２７】
〔４−２．エタロンの構成〕
図３は、本実施形態におけるエタロン７の概略構成を示す断面図である。
エタロン７（干渉フィルター）は、例えば、平面視略正方形状の板状の光学部材であり、一辺が例えば１０ｍｍに形成されている。このエタロン７は、図３に示すように、固定基板７１（第１基板）と、可動基板７２（第２基板）とを備え、これらの２枚の基板７１，７２は、それぞれ例えば、ソーダガラス、結晶性ガラス、石英ガラス等の各種ガラスや、水晶等により形成されている。そして、これらの２つの基板７１，７２は、例えば常温活性化接合などにより接合層７６を介して接合されることで、一体的に構成されている。
【００２８】
また、固定基板７１と、可動基板７２との間には、固定ミラー７３（第１反射膜）及び可動ミラー７４（第２反射膜）が設けられる。ここで、固定ミラー７３は、固定基板７１における可動基板７２に対向する面に固定され、可動ミラー７４は、可動基板７２における固定基板７１に対向する面に固定されている。また、これらの固定ミラー７３および可動ミラー７４は、ギャップＧを介して対向配置されている。
さらに、固定基板７１と可動基板７２との間には、固定ミラー７３及び可動ミラー７４の間のギャップＧの寸法を調整するための静電アクチュエーター７５が設けられている。
【００２９】
固定基板７１は、厚みが例えば５００μｍのガラス基材をエッチングにより加工することで形成される。この固定基板７１には、図３に示すように、エッチングにより電極形成溝７１１が形成され、電極形成溝７１１には、静電アクチュエーター７５を構成する第１電極７５１が形成される。この第１電極７５１は、図示しない電極引出部を介して制御装置５（図１参照）に接続されている。
【００３０】
可動基板７２は、厚みが例えば２００μｍのガラス基材をエッチングにより加工することで形成される。この可動基板７２には、第１電極７５１にギャップを介して対向する、静電アクチュエーター７５を構成する第２電極７５２が形成されている。この第２電極７５２は、図示しない電極引出部を介して制御装置５（図１参照）に接続されている。
そして、制御装置５は、所定の駆動制御信号に基づいて、第１電極７５１及び第２電極７５２の間に駆動電圧を印加して、ギャップＧの寸法を所望の寸法に設定する。このギャップＧの寸法に応じて、エタロン７を透過する光の透過波長（本実施形態では、赤外光の波長領域内の波長）が決定される。すなわち、静電アクチュエーター７５によりギャップＧの寸法を適宜調整することで、エタロン７を透過する光が決定されて、エタロン７を透過した光が焦電センサー８で受光される。
【００３１】
〔４−３．焦電センサーの構成〕
焦電センサー８は、熱型の赤外線検出素子であり、制御装置５に接続され、エタロン７を透過した光（赤外光の波長領域内の波長を有する光）が入射される。この焦電センサー８は、光学チョッパー６により入射光を断続的に遮断して、誘電率の大きな物質の温度変化によって電荷を生じる焦電効果を利用することで、赤外光を検出するものである。そして、焦電センサー８は、エタロン７を透過した光の受光量に応じた電気信号を生成して、当該電気信号を受光信号として制御装置５に出力する。
【００３２】
〔４−４．駆動回路の構成〕
駆動回路９は、エタロン７の各電極７５１，７５２の図示しない電極引出部及び制御装置５に接続される。この駆動回路９は、制御装置５から入力される制御信号に基づいて、各電極引出部を介して、第１電極７５１及び第２電極７５２間に駆動電圧を印加し、ミラー間のギャップＧの寸法を所望の寸法に設定する。
【００３３】
〔５．制御装置の構成〕
制御装置５は、ガス分析装置１全体を制御するものであり、分光特性取得部５１、及び分光特性処理部５２（分析処理部）を備える。そして、制御装置５は、焦電センサー８に接続され、焦電センサー８から出力される受光信号を受信する。そして、制御装置５は、入力された受光信号に基づいて、各波長に対する受光量を算出し、検査対象光の分光特性の測定処理を実施する。
【００３４】
分光特性取得部５１は、ガスセンサー４に接続されている。そして、分光特性取得部５１は、例えば利用者の設定入力に基づいて、ガスセンサー４にて受光させる光の波長を設定し、この波長の光の受光量を検出する旨の制御信号をガスセンサー４に出力する。これにより、ガスセンサー４の駆動回路９は、制御信号に基づいて、利用者が所望する光の波長のみを透過させるよう、静電アクチュエーター７５への印加電圧を設定する。
分光特性処理部５２は、分光特性取得部５１を制御して、エタロン７のミラー間のギャップＧを変動させて、エタロン７を透過する光の波長を変化させる。また、分光特性処理部５２は、焦電センサー８から入力される受光信号に基づいて、エタロン７を透過した光の光量を取得する。そして、分光特性処理部５２は、上記により得られた各波長の光の受光量に基づいて、ガス封入器３内のガスにより吸光された光の波長を算出して、ガスの定量分析を行う。
【００３５】
〔第１実施形態の作用効果〕
上述した第１実施形態のガス分析装置１によれば、以下の効果を奏する。
（１）エタロン７の前段側に光学チョッパー６が配設されており、この光学チョッパー６の複数の遮光板６２のエタロン７と対向する傾斜面６２２には、遮光板６２の逆回転方向に向かうにしたがってエタロン７に近づくように傾斜している傾斜部６２２１が形成されている。これによれば、遮光板６２が入射光を断続的に遮光するとともに、傾斜部６２２１により発生する風をエタロン７に対して当てることができる。
従って、遮光板６２の傾斜部６２２１により発生した風をエタロン７に当てることで、エタロン７の入射光である赤外光による温度上昇を抑制でき、環境温度の変化により、所望のギャップ寸法の変化を抑制できる。以上より、特定波長の光の受光量を正確に測定でき、正確な分光特性を測定できる。
【００３６】
（２）焦電センサー８を用いたので、光学チョッパー６により入射光を断続的に遮光すれば、光の変化量を検出できる。また、赤外光を検出する光検出器としては、例えば、量子型の赤外線検出素子等があるが、この量子型の赤外線検出素子を用いると、コストが高くなるが、本実施形態では焦電センサー８を用いたので、ガスセンサー４を低コストで実現できる。
（３）遮光板６２の遮光面６２１は、全体にわたって入射光の入射方向の直交平面と平行となるように形成されているので、遮光板６２の回転時に遮光面６２１で遮光した光の回折が発生するのを抑制することができ、遮光面６２１での光量の変化を抑えて、焦電センサー８での検出精度の低下を抑制できる。
【００３７】
（４）遮光板６２の外周面６２３は、遮光面６２１と直交しているため、遮光板６２の回転時に外周面６２３で遮光した光の回折が発生するのを抑制することができ、外周面６２３での光量の変化を抑えて、焦電センサー８での検出精度の低下を抑制できる。
（５）エタロン７を用いたので、第１電極７５１及び第２電極７５２に印加する電圧を制御することで、所望の波長の光をエタロン７で取り出すことができる。すなわち、このエタロン７によれば、透過させる波長を順次設定できる。従って、複数の干渉フィルターを用いる必要がなくなるため、ガスセンサー４自体を小型化することができる。
【００３８】
［第２実施形態］
図４は、本実施形態における遮光板６２Ａの側面図である。
本実施形態におけるガス分析装置の構成は、前記第１実施形態の構成とほぼ同一であるが、前記第１実施形態において、光学チョッパー６の遮光面６２１は、全面にわたって入射光と直交する直交平面と平行となるように形成されていたが、本実施形態の遮光面６２１Ａは、一部のみが前記直交平面と平行となるように形成されている点で相違する。
なお、以下の説明では、前記第１実施形態と同一構成要素については、同一符号を付し、その説明を省略する。
【００３９】
遮光板６２Ａの遮光面６２１Ａは、傾斜する遮光傾斜面６２１Ａ１と、遮光面６２１Ａにおける外縁端部が所定寸法にわたって前記直交平面と平行となるように形成される平行端部６２１Ａ２（外縁端部）とを備える。すなわち、遮光面６２１Ａにおける各平行端部６２１Ａ２のみが入射光と直交する。
また、遮光傾斜面６２１Ａ１は、傾斜面６２２と同一方向に傾斜している。このため、遮光板６２Ａの厚み寸法は、全体にわたって均一となるように形成されており、前記第１実施形態の遮光板６２に比べて、薄型化されている。
【００４０】
上述した第２実施形態によれば、前記第１実施形態の効果（１）〜（５）と同様の効果を奏する他、以下の効果を奏する。
本実施形態によれば、遮光板６２Ａを前記第１実施形態の遮光板６２に比べて薄型化しているため、光学チョッパー６全体の軽量化を図ることができ、回転軸６１を駆動するモーター等の駆動源の省電力化を図ることができる。
【００４１】
［実施形態の変形］
なお、本発明を実施するための最良の構成、方法などは、以上の記載で開示されているが、本発明は、これに限定されるものではない。
前記各実施形態では、本発明の干渉フィルターとして、波長可変型のエタロン７を例示し、静電アクチュエーター７５によりミラー７３，７４間のギャップを調整して透過光を変更可能な構成としたが、これに限定されない。例えば、予め設定された所定の波長のみを透過させる分光フィルターとしても利用でき、この場合は、静電アクチュエーター７５を設ける必要がない。
前記実施形態では、１つのエタロン７を用いてギャップを調整することで特定の波長のみ分光させる例を示したが、例えば、予め設定された所定の波長のみを透過させる複数の干渉フィルターを用いて、各干渉フィルターで各波長を透過させる構成としてもよい。
【００４２】
図５に示す遮光板６２Ｂは、前記第１実施形態の遮光板６２の変形例である。
この遮光板６２Ｂの傾斜面６２２Ｂは、前記第１実施形態の遮光板６２の傾斜部６２２１と形状が相違する傾斜部６２２１Ｂを備える。前記第１実施形態の傾斜部６２２１は、平坦面であったが、本変形例に係る傾斜部６２２１Ｂは、湾曲面となるように形成されている。この場合でも、傾斜部６２２１Ｂは、遮光板６２Ｂの逆回転方向に向かうにしたがって、後段側のエタロン７に近づくように湾曲しながら傾斜しているため、遮光板６２Ｂの厚み寸法は、逆回転方向に向かうにしたがって大きくなっている。
【００４３】
図６に示す遮光板６２Ｃは、前記第２実施形態の遮光板６２Ａ及び図５に示す変形例の遮光板６２Ｂを組み合わせた構成である。
この遮光板６２Ｃの遮光面６２１Ｃは、前記第２実施形態の平行端部６２１Ａ２と、各平行端部６２１Ａ２間に形成される遮光湾曲面６２１Ｃ１とを備える。
また、傾斜面６２２Ｃは、図５に示す変形例の傾斜面６２２Ｂと同一の構成を有し、傾斜部６２２１Ｃは、遮光板６２Ｃの逆回転方向に向かうにしたがって、後段側のエタロン７に近づくように湾曲しながら傾斜している。
そして、遮光湾曲面６２１Ｃ１は、傾斜面６２２Ｃと同様に湾曲して傾斜しているため、遮光板６２Ｃの厚み寸法は、全体にわたって均一となるように形成されることとなり、前記第２実施形態の遮光板６２Ａと同一の厚み寸法に形成され、前記第１実施形態の遮光板６２及び図５に示す変形例の遮光板６２Ｂよりも薄型化されている。
【００４４】
図７は、本発明に係る遮光板の変形例を示す平面図及び側面図である。図７において、入射光の入射方向は、側面図において紙面上側から下側にむけて入射し、平面図において、紙面裏側から表側に入射するものとする。なお、この入射方向は、以下の図８から図１０においても同様である。
遮光板６２Ｄは、前記第１実施形態と同一構成の遮光面６２１を備えるが、傾斜面６２２Ｄの構成が前記各実施形態と相違する。
傾斜面６２２Ｄは、傾斜部６２２Ｄ１と、平坦部６２２Ｄ２と備える。前記第１実施形態での傾斜面６２２の傾斜部６２２１は、外周面６２３間にわたって傾斜していたが、傾斜部６２２Ｄ１は、傾斜面６２２Ｄの半分程度の位置まで傾斜している点で相違する。すなわち、傾斜部６２２Ｄ１は、傾斜面６２２Ｄの平面視における中央部分から遮光板６２Ｄの逆回転方向に向かうにしたがって、後段側のエタロン７に近づくように傾斜している。平坦部６２２Ｄ２は、遮光面６２１と平行となるように形成されている。
【００４５】
図８及び図９は、本発明に係る遮光板の変形例を示す平面図及び側面図である。
図８及び図９に示す遮光板６２Ｅは、前記第１実施形態と同一構成の遮光面６２１を備えるが、遮光面６２１の反対側の面に突起部６２４が形成されている点で前記各実施形態と相違する。
突起部６２４は、側面視三角形状または側面視半円形状であり、各遮光板６２Ｅに２箇所ずつ形成されており、２つの三角柱状の部材または半球体状の部材が配置されることで形成される。この突起部６２４は、頂点位置（対向するエタロン７に最も近い位置）から遮光面６２１の反対側の面に向けて延出する傾斜部６２４１を備える。例えば、遮光板６２Ｅが図８及び図９に示す回転方向（実線矢印方向）の場合、傾斜部６２４１は、図面氏における右側となる。すなわち、本変形例では、いずれの回転方向であっても、傾斜部６２４１は、エタロン７に向けて風を当てることが可能となる。
【００４６】
図１０は、本発明に係る遮光板の変形例を示す図であり、図１０（Ａ）は遮光板６２Ｆの平面図及び側面図、図１０（Ｂ）は、遮光板６２Ｆの回転時における側面図である。
遮光板６２Ｆは、前記第１実施形態と同一構成の遮光面６２１を備えるが、遮光面６２１の反対側の面に弾性材料で形成される板状部６２５が設けられる点で相違する。
この板状部６２５は、遮光面６２１の反対側の面に直交する面が傾斜部６２５１となる。板状部６２５は、弾性材料で形成されるため、遮光板６２Ｆの回転時に図１０（Ｂ）に示すように変形して風を発生させる。この場合、図１０（Ｂ）に示すように、板状部６２５が変形することで、傾斜部６２５１は、遮光板６２Ｆの逆回転方向に向かうにしたがって、後段側のエタロン７に近づくようになる。本変形例でも、図８及び図９の変形例の遮光板６２Ｅと同様に、いずれの回転方向であっても、傾斜部６２５１は、エタロン７に向けて風を当てることが可能となる。
【００４７】
前記各実施形態では、本発明の光モジュールとして、ガスセンサー４を例示し、このガスセンサー４を備えたガス分析装置１を本発明の光分析装置として例示したが、これに限定されるものではない。例えば、被検査対象で反射された光を分光する測色センサーを本発明の光モジュールとして用いてもよく、このような測色センサーにより被検査対象を測色する測色装置を本発明の光分析装置としてもよい。
【符号の説明】
【００４８】
１…ガス分析装置（光分析装置）、４…ガスセンサー（光モジュール）、６…光学チョッパー、７…エタロン（干渉フィルター）、８…焦電センサー（光検出器）、５２…分光特性処理部（分析処理部）、６１…回転軸、６２…遮光板、７１…固定基板（第１基板）、７２…可動基板（第２基板）、７３…固定ミラー（第１反射膜）、７４…可動ミラー（第２反射膜）、６２１Ａ２…平行端部（外縁端部）、６２３…外周面、７５１…第１電極、７５２…第２電極、６２２１，６２２１Ｂ，６２２１Ｃ，６２２Ｄ１，６２４１，６２５１…傾斜部、
【図１】
2012088098.tif 000003
【図２】
2012088098.tif 000004
【図３】
2012088098.tif 000005
【図４】
2012088098.tif 000006
【図５】
2012088098.tif 000007
【図６】
2012088098.tif 000008
【図７】
2012088098.tif 000009
【図８】
2012088098.tif 000010
【図９】
2012088098.tif 000011
【図１０】
2012088098.tif 000012